(57)【要約】【課題】固有の電子符号と機械式の二重のロックシステムを提供する。【解決手段】凹部が設けられた本体１１と、本体１１における前記凹部を覆う装着体１２と、装着体１２を本体１１に対して施錠及び／又は解錠させるロック機構と、を有するロック装置と、前記ロック装置における前記ロック機構に設けられた鍵穴に挿脱可能であり、かつ、当該鍵穴に挿入した状態で変位操作を可能とした鍵体６０と、を備えたロックシステムであって、鍵体６０は、固有情報を発信する発信手段６３を有し、かつ、前記ロック装置は、鍵体６０が前記鍵穴に挿入された状態で、鍵体６０における発信手段６３により発信された固有情報を受信可能な固有情報受信手段１５Ｃと、固有情報受信手段１５Ｃにより受信された固有情報を予め保有された認証用固有情報と照合する照合手段と、を有し、前記ロック機構は、鍵体６０が前記鍵穴に挿入された状態で、前記変位操作の実施と、前記照合手段による照合結果と、に基づいて、装着体１２を本体１１に対して施錠及び／又は解錠させる機能を有することを特徴とするロックシステム。【選択図】　　　図１０
2004124401.tif 000002
【特許請求の範囲】
【請求項１】
凹部が設けられた本体と、当該本体における前記凹部を覆う装着体と、当該装着体を前記本体に対して施錠及び／又は解錠させるロック機構と、を有するロック装置と、前記ロック装置における前記ロック機構に設けられた鍵穴に挿脱可能であり、かつ、当該鍵穴に挿入した状態で変位操作を可能とした鍵体と、を備えたロックシステムであって、
前記鍵体は、固有情報を発信する発信手段を有し、かつ、
前記ロック装置は、前記鍵体が前記鍵穴に挿入された状態で、当該鍵体における前記発信手段により発信された固有情報を受信可能な固有情報受信手段と、当該固有情報受信手段により受信された固有情報を予め保有された認証用固有情報と照合する照合手段と、を有し、
前記ロック機構は、前記鍵体が前記鍵穴に挿入された状態で、前記変位操作の実施と、前記照合手段による照合結果と、に基づいて、前記装着体を前記本体に対して施錠及び／又は解錠させる機能を有することを特徴とするロックシステム。
【請求項２】
請求項１記載のロックシステムにおいて、
前記鍵体は、前記ロック装置における前記鍵穴に挿脱可能である挿入部と、操作者により把持可能であり、前記発信手段から固有情報が発信されるか否かを切り換える切替部が設けられた把持部と、を有するものであることを特徴とするロックシステム。
【請求項３】
請求項１記載のロックシステムにおいて、
前記鍵体は、前記ロック装置における前記鍵穴に挿脱可能である挿入部と、操作者により把持可能であり、前記装着体を前記本体に対して施錠させる施錠情報を含む固有情報が前記発信手段から発信されるか否かを切り換える第一の切替部と前記装着体を前記本体に対して解錠させる解錠情報を含む固有情報が前記発信手段から発信されるか否かを切り換える第二の切替部とが設けられた把持部と、を有するものであることを特徴とするロックシステム。
【請求項４】
前発信手段は、前記固有情報を電磁波信号として発信させることを特徴とする請求項１から請求項３いずれか記載のロックシステム。
【請求項５】
請求項１記載のロックシステムにおいて、
前記装着体を前記本体部に対して施錠されている状態から前記装着体を前記本体部に対して解錠させる場合には、前記ロック装置における前記ロック機構による前記変位操作が行われた後に、前記照合手段による照合結果に基づいて前記装着体を前記本体に対して解錠させる機能を有し、かつ、
前記装着体を前記本体部に対して解錠されている状態から前記装着体を前記本体部に対して施錠させる場合には、前記ロック装置における前記ロック機構による前記変位操作が行われた後に、前記照合手段による照合結果に基づいて前記装着体を前記本体に対して施錠させる機能を有することを特徴とするロックシステム。
【請求項６】
請求項１記載のロックシステムにおいて、
前記装着体を前記本体部に対して施錠されている状態から前記装着体を前記本体部に対して解錠させる場合には、前記照合手段による照合結果に基づいて前記装着体を前記本体に対して解錠させた後に、前記ロック装置における前記ロック機構による前記変位操作の実施に基づいて前記装着体を前記本体に対して解錠させる機能を有し、かつ、
前記装着体を前記本体部に対して解錠されている状態から前記装着体を前記本体部に対して施錠させる場合には、前記ロック装置における前記ロック機構による前記変位操作が行われた後に、前記照合手段による照合結果に基づいて前記装着体を前記本体に対して施錠させる機能を有することを特徴とするロックシステム。
【請求項７】
請求項１記載のロックシステムにおいて、
前記装着体を前記本体部に対して施錠されている状態から前記装着体を前記本体部に対して解錠させる場合には、前記ロック装置における前記ロック機構による前記変位操作が行われた後に、前記照合手段による照合結果に基づいて前記装着体を前記本体に対して解錠させる機能を有し、かつ、
前記装着体を前記本体部に対して解錠されている状態から前記装着体を前記本体部に対して施錠させる場合には、前記照合手段による照合結果に基づいて前記装着体を前記本体に対して施錠させた後に、前記ロック装置における前記ロック機構による前記変位操作の実施に基づいて前記装着体を前記本体に対して施錠させる機能を有することを特徴とするロックシステム。
【発明の詳細な説明】
【０００１】
【発明の属する技術分野】
本発明は、凹部を有する本体と当該本体における凹部を覆う装着体とのロックシステムに関する。
【０００２】
【従来の技術】
ロックシステムには、鍵の判別装置としてシリンダを装備したシリンダ錠がある。また、「０」〜「９」までの数字キーで任意の暗証番号をテンキーで入力し、施錠・解錠するテンキーロックがある。更に、カードの記録情報を読み取るカードリーダを装備したカードロックや、錠のアンテナに向けてリモコン装置により施錠・解錠するリモコンロックもある。その他、指紋照合や声紋照合によるロックシステムもある。
【０００３】
従来のロックシステムとしては、電子式ドアロック装置およびそのキーモジュール構造の発明が開示されている（例えば、特許文献１参照。）。前述の発明は、プレートキーはシークレット符号を記憶する集積回路を内蔵している。前記プレートキーをテーブルに挿入すると、接点を通じて前記シークレット符号が解読され、ロックの開閉動作が行われる。
【０００４】
また、遊技機のロックシステムとしての発明が開示されているものもある（例えば、特許文献２参照。）。前述の発明は、複数のパチンコ機に設けられている前枠の開放阻止する施錠装置による解除動作を集中制御によってロックすることでセキュリティ対策をこうじている。
【０００５】
例えば、パチンコ機、スロットマシン等の遊技機は、内部に機械の動作プログラムが記憶されたＲＯＭ（ｒｅａｄ　ｏｎｌｙ　ｍｅｍｏｒｙ）が実装されているので、個別の機械について、より強化されたロックシステムが要望されている。
【０００６】
【特許文献１】
特開２００１−１３２２９０号公報
【特許文献２】
特開平１１−５７１７４号公報
【０００７】
【発明が解決しようとする課題】
しかしながら、前者の発明は、鍵は特定できるものの電子情報のみで施錠あるいは解錠しているので、かならずしも強固なロックシステムとは云えない。また、有接点でシークレット符号を伝達しているので腐食などによる接続不良なども懸念される。更に、プレートキーの挿脱で施錠・解錠するので、鍵の回転操作による施錠・解錠といった操作慣行になじまないという側面もある。
【０００８】
また、後者の発明は、複数の遊技機について一斉に解除可能状態になるので、個々の機械については二重にロックされない。個々の機械について、セキュリティが保証されるとともに個別の施錠・解錠の自由度も求められる。そして、このような集中制御システムは設置費用もさることながら、維持管理費用も発生し、個々の機械について固有情報をもつ鍵で二重にロックすることが費用面からも好ましい。
【０００９】
本発明は、上述した如き課題に鑑みてなされたものであり、固有の電子符号と機械式の二重のロックシステムを提供することを目的とする。
【００１０】
【課題を解決するための手段】
以上のような目的を達成するために、本発明のロックシステムは、凹部が設けられた本体と、当該本体における前記凹部を覆う装着体と、当該装着体を前記本体に対して施錠及び／又は解錠させるロック機構と、を有するロック装置と、前記ロック装置における前記ロック機構に設けられた鍵穴に挿脱可能であり、かつ、当該鍵穴に挿入した状態で変位操作を可能とした鍵体と、を備えたロックシステムであって、前記鍵体は、固有情報を発信する発信手段を有し、かつ、前記ロック装置は、前記鍵体が前記鍵穴に挿入された状態で、当該鍵体における前記発信手段により発信された固有情報を受信可能な固有情報受信手段と、当該固有情報受信手段により受信された固有情報を予め保有された認証用固有情報と照合する照合手段と、を有し、前記ロック機構は、前記鍵体が前記鍵穴に挿入された状態で、前記変位操作の実施と、前記照合手段により照合結果と、に基づいて、前記装着体を前記本体に対して施錠及び／又は解錠させる機能を有することを特徴とする。
【００１１】
より具体的には、本発明は、以下のようなものを提供する。
【００１２】
（１）　凹部が設けられた本体と、当該本体における前記凹部を覆う装着体と、当該装着体を前記本体に対して施錠及び／又は解錠させるロック機構と、を有するロック装置と、前記ロック装置における前記ロック機構に設けられた鍵穴に挿脱可能であり、かつ、当該鍵穴に挿入した状態で変位操作を可能とした鍵体と、を備えたロックシステムであって、前記鍵体は、固有情報を発信する発信手段を有し、かつ、前記ロック装置は、前記鍵体が前記鍵穴に挿入された状態で、当該鍵体における前記発信手段により発信された固有情報を受信可能な固有情報受信手段と、当該固有情報受信手段により受信された固有情報を予め保有された認証用固有情報と照合する照合手段と、を有し、前記ロック機構は、前記鍵体が前記鍵穴に挿入された状態で、前記変位操作の実施と、前記照合手段による照合結果と、に基づいて、前記装着体を前記本体に対して施錠及び／又は解錠させる機能を有することを特徴とするロックシステム。
【００１３】
（１）記載の発明によれば、「凹部が設けられた本体と、当該本体における前記凹部を覆う装着体と、当該装着体を前記本体に対して施錠及び／又は解錠させるロック機構と、を有するロック装置と、前記ロック装置における前記ロック機構に設けられた鍵穴に挿脱可能であり、かつ、当該鍵穴に挿入した状態で変位操作を可能とした鍵体と、を備えたロックシステムであって、前記鍵体は、固有情報を発信する発信手段を有し、かつ、前記ロック装置は、前記鍵体が前記鍵穴に挿入された状態で、当該鍵体における前記発信手段により発信された固有情報を受信可能な固有情報受信手段と、当該固有情報受信手段により受信された固有情報を予め保有された認証用固有情報と照合する照合手段と、を有し、前記ロック機構は、前記鍵体が前記鍵穴に挿入された状態で、前記変位操作の実施と、前記照合手段による照合結果と、に基づいて、前記装着体を前記本体に対して施錠及び／又は解錠させる機能を有する」ので、機械的手段によるロックと非機械的手段によるロックの二重手段による強力なロックシステムを提供できる。例えば、スロットマシンなどの遊技機は装着体となる扉を開けたときに、本体内部に高価なメダルが多く蓄えられているので、防犯上、容易に解錠できないようにする必要がある。また、本体内部には遊技のプログラムを記憶したＲＯＭが実装されているので、遊技店の責任者以外には容易に解錠できず、不正手段を行使できないロックシステムが要望されている。このロックシステムはこれらの要望に適合する。
【００１４】
また、本発明の鍵体は固有情報を発信する発信手段を有しているので、鍵体の外形は容易に複製できても、鍵体のシークレット符号となる電子情報の複製は相当困難であり、鍵体の紛失や盗難に際し、複製防止に好適である。
【００１５】
さらに、鍵体が鍵穴に挿入された状態で、鍵体における発信手段により発信された固有情報を受信可能であるので、例えば、テンキーロックのように外部からの操作による暗証番号入力が容易でなく、安全性が高まる。また、鍵穴の奥に受信手段が配置され、鍵体が鍵穴を遮蔽し、受信手段に外乱が入るのを防止するので、照合性能が向上する。
【００１６】
（２）　（１）記載のロックシステムにおいて、前記鍵体は、前記ロック装置における前記鍵穴に挿脱可能である挿入部と、操作者により把持可能であり、前記発信手段から固有情報が発信されるか否かを切り換える切替部が設けられた把持部と、を有するものであることを特徴とするロックシステム。
【００１７】
（２）記載の発明によれば、「（１）記載のロックシステムにおいて、前記鍵体は、前記ロック装置における前記鍵穴に挿脱可能である挿入部と、操作者により把持可能であり、前記発信手段から固有情報が発信されるか否かを切り換える切替部が設けられた把持部と、を有するものである」ので、鍵体を未使用時は送信手段から発信しないよう切替部で設定し、鍵体の使用時のみ送信手段から発信するよう切替部で設定しておけば、鍵体に内蔵される電池等の消費を軽減でき、電池の寿命を延ばすことができる。
【００１８】
（３）　（１）記載のロックシステムにおいて、前記鍵体は、前記ロック装置における前記鍵穴に挿脱可能である挿入部と、操作者により把持可能であり、前記装着体を前記本体に対して施錠させる施錠情報を含む固有情報が前記発信手段から発信されるか否かを切り換える第一の切替部と前記装着体を前記本体に対して解錠させる解錠情報を含む固有情報が前記発信手段から発信されるか否かを切り換える第二の切替部とが設けられた把持部と、を有するものであることを特徴とするロックシステム。
【００１９】
（３）記載の発明によれば、「（１）記載のロックシステムにおいて、前記鍵体は、前記ロック装置における前記鍵穴に挿脱可能である挿入部と、操作者により把持可能であり、前記装着体を前記本体に対して施錠させる施錠情報を含む固有情報が前記発信手段から発信されるか否かを切り換える第一の切替部と前記装着体を前記本体に対して解錠させる解錠情報を含む固有情報が前記発信手段から発信されるか否かを切り換える第二の切替部とが設けられた把持部と、を有するものである」ので、施錠時あるいは解錠時にいずれの場合も、固有情報に基づくのでよりセキュリティが高まる。
【００２０】
（４）　前記発信手段は、前記固有情報を電磁波信号として発信させることを特徴とする（１）から（３）いずれか記載のロックシステム。
【００２１】
（４）記載の発明によれば、「前記発信手段は、前記固有情報を電磁波信号として発信させる」ので、無接点で固有情報を伝達でき、例えば、接点の腐食による接触不良が発生しない。
【００２２】
（５）　（１）記載のロックシステムにおいて、前記装着体を前記本体部に対して施錠されている状態から前記装着体を前記本体部に対して解錠させる場合には、前記ロック装置における前記ロック機構による前記変位操作が行われた後に、前記照合手段による照合結果に基づいて前記装着体を前記本体に対して解錠させる機能を有し、かつ、前記装着体を前記本体部に対して解錠されている状態から前記装着体を前記本体部に対して施錠させる場合には、前記ロック装置における前記ロック機構による前記変位操作が行われた後に、前記照合手段による照合結果に基づいて前記装着体を前記本体に対して施錠させる機能を有することを特徴とするロックシステム。
【００２３】
（５）記載の発明によれば、「（１）記載のロックシステムにおいて、前記装着体を前記本体部に対して施錠されている状態から前記装着体を前記本体部に対して解錠させる場合には、前記ロック装置における前記ロック機構による前記変位操作が行われた後に、前記照合手段による照合結果に基づいて前記装着体を前記本体に対して解錠させる機能を有し、かつ、前記装着体を前記本体部に対して解錠されている状態から前記装着体を前記本体部に対して施錠させる場合には、前記ロック装置における前記ロック機構による前記変位操作が行われた後に、前記照合手段による照合結果に基づいて前記装着体を前記本体に対して施錠させる機能を有する」ので、鍵体の変位操作後に照合手段による照合結果に基づいて、前記装着体を前記本体部に対して施解錠できる。つまり、操作者は、電子情報による照合結果を意識することなく、鍵体の変位操作だけで前記装着体を前記本体部に対して施解錠できる。鍵の回転操作による施錠・解錠といった操作慣行に適合しているという効果がある。
【００２４】
（６）　（１）記載のロックシステムにおいて、前記装着体を前記本体部に対して施錠されている状態から前記装着体を前記本体部に対して解錠させる場合には、前記照合手段による照合結果に基づいて前記装着体を前記本体に対して解錠させた後に、前記ロック装置における前記ロック機構による前記変位操作の実施に基づいて前記装着体を前記本体に対して解錠させる機能を有し、かつ、前記装着体を前記本体部に対して解錠されている状態から前記装着体を前記本体部に対して施錠させる場合には、前記ロック装置における前記ロック機構による前記変位操作が行われた後に、前記照合手段による照合結果に基づいて前記装着体を前記本体に対して施錠させる機能を有することを特徴とするロックシステム。
【００２５】
（６）記載の発明によれば、「（１）記載のロックシステムにおいて、前記装着体を前記本体部に対して施錠されている状態から前記装着体を前記本体部に対して解錠させる場合には、前記照合手段による照合結果に基づいて前記装着体を前記本体に対して解錠させた後に、前記ロック装置における前記ロック機構による前記変位操作の実施に基づいて前記装着体を前記本体に対して解錠させる機能を有し、かつ、前記装着体を前記本体部に対して解錠されている状態から前記装着体を前記本体部に対して施錠させる場合には、前記ロック装置における前記ロック機構による前記変位操作が行われた後に、前記照合手段による照合結果に基づいて前記装着体を前記本体に対して施錠させる機能を有する」ので、鍵体を挿入直後に照合動作を確認できるという効果がある。鍵体の変位操作に先立ち、照合されるかという操作者の要求に対し、例えば、前記解放時に固有情報を発信し、ロック機構の動作音またはモニタ（例えば、確認ランプの点滅の有無）で鍵体の変位操作に先立ち、照合結果を確認することができる。
【００２６】
（７）　（１）記載のロックシステムにおいて、前記装着体を前記本体部に対して施錠されている状態から前記装着体を前記本体部に対して解錠させる場合には、前記ロック装置における前記ロック機構による前記変位操作が行われた後に、前記照合手段による照合結果に基づいて前記装着体を前記本体に対して解錠させる機能を有し、かつ、前記装着体を前記本体部に対して解錠されている状態から前記装着体を前記本体部に対して施錠させる場合には、前記照合手段による照合結果に基づいて前記装着体を前記本体に対して施錠させた後に、前記ロック装置における前記ロック機構による前記変位操作の実施に基づいて前記装着体を前記本体に対して施錠させる機能を有することを特徴とするロックシステム。
【００２７】
（７）記載の発明によれば、「（１）記載のロックシステムにおいて、前記装着体を前記本体部に対して施錠されている状態から前記装着体を前記本体部に対して解錠させる場合には、前記ロック装置における前記ロック機構による前記変位操作が行われた後に、前記照合手段による照合結果に基づいて前記装着体を前記本体に対して解錠させる機能を有し、かつ、前記装着体を前記本体部に対して解錠されている状態から前記装着体を前記本体部に対して施錠させる場合には、前記照合手段による照合結果に基づいて前記装着体を前記本体に対して施錠させた後に、前記ロック装置における前記ロック機構による前記変位操作の実施に基づいて前記装着体を前記本体に対して施錠させる機能を有する」ので、前記装着体を前記本体部に対して施解錠する必要のない時、いわゆる通常時は、固有情報受信手段の受信面が鍵穴に解放されていない（言い換えれば、通常時は前記受信面が外部から遮蔽されている）ので、外部からの外乱を防止できるという効果がある。
【００２８】
［用語の定義等］
なお、本発明では、「凹部を有する本体」とは空間を有する有体物を想定した概念であって、部屋、箱、ケースなどである。また、「装着体」とは、凹部を覆うように装着可能であり、凹部の機密性を保てるものを含む概念である。例えば、扉のような固着されたものであっても、蓋のような着脱式のものであってもよい。もちろん、扉のように軸着されたものであっても、軸着されないものであってもよい。また、本体のある一面全体を覆うものだけでなくとも、本体のある一面の一部を覆うものや、本体の複数面を覆うものであってもよい。もちろん、面部でなくとも問題ない。
【００２９】
【発明の実施の形態】
以下に、本発明の実施の形態について図面に基づいて説明する。尚、本実施の形態は、本発明をパチンコ機に適用し、凹部が設けられた本体としてはパチンコ機の筐体を、当該本体における凹部を覆う装着体としては当該筐体の前扉を適用して説明する。
【００３０】
［第１の実施の形態］
次に、本発明による第１の実施の形態よるロックシステムをもつパチンコ機の構成を図１により説明する。図１は、パチンコ機の前扉を開けた状態の斜視図である。図１の符号１０はパチンコ機、符号１１は凹部を有する本体としての筐体、符号１２は筐体を覆う装着体としての前扉、符号２０は第１のロック機構、符号３０は第２のロック機構、符号４０は鍵体である。
【００３１】
図１において、前扉１２はガラス枠１３を装備し、筐体１１とヒンジ１２Ａで開閉する形で回転結合している。また、前扉１２の開閉側の内側面には、第１のロック機構２０と第２のロック機構３０が配置されている。前扉１２の開閉側の外面には、鍵穴１４Ａが設けられている。筐体１１の開閉側の内側面には、係止片１１Ａ・１１Ｂと貫通穴をもつ係止片１１Ｃが固定されている。
【００３２】
第１のロック機構２０は、鍵穴１４Ａに挿入された鍵体４０の回転変位操作で作動する二つのフック２４Ａを備えている。二つのフック２４Ａが連動して係止片１１Ａ・１１Ｂに係合離脱することで、前扉１２を施錠状態あるいは解錠状態にできる。
【００３３】
第２のロック機構２０は、鍵穴１４Ａに挿入された鍵体４０の固有情報を照合することで作動する電磁ソレノイドを備えている。前記電磁ソレノイドのロッドが係止片１１Ｃの貫通穴に係合離脱することで、前扉１２を施錠状態あるいは解錠状態にできる。
【００３４】
次に、第１のロック機構の構成を図２により説明する。図２の符号１４はシリンダ錠、符号２１は折曲げブラケット、符号２２はリンク、符号２３は引張コイルばねである。図２に示されるように、折曲げブラケット２１は上下に延在する形で前扉１２の内側に固定されている。折曲げブラケット２１のほぼ中央には鍵穴１４Ａをもつシリンダ錠１４が取り付けられている。シリンダ錠１４の回転軸１４Ｂ端部には、作用片１４Ｃを形成するカム１４Ｄが取り付けられている。
【００３５】
また、折曲げブラケット２１は、リンク２２を上下動自在にすべり結合している。リンク２２は引張コイルばね２３によって下方向（図中の矢印Ｄ方向）に移動する力を付勢されている。鍵体４０の変位操作でカム１４Ｄが回転すると、作用片１４Ｃに連結するリンク２２の係止片２２１が押し上げられる。すなわち、リンク２２は図２の矢印Ｕの方向に移動する。
【００３６】
リンク２２の上下端部は、フック２４Ａが軸２４Ｂで回転結合している。フック２４Ａの支点は、折曲げブラケット２１の折曲げ片２１１と軸２４Ｃで回転結合している。前扉１２が閉じられた状態では、フック２４Ａに形成された凹溝２４１の底部が係止片１１Ａ・１１Ｂの下面に当接し、前扉１２をロックする。一方、鍵体４０の回転変位操作により、引張コイルばね２３の力に抗してリンク２１を押し上げると、フック２４Ａの作用端２４５が、図中の矢印Ｒの方向に回転する。その結果、凹溝２４１と係止片１１Ａ・１１Ｂの係合状態が解消され、前扉１２を開くことができる。
【００３７】
また、前扉１２を閉じようとすると、係止片１１Ａ・１１Ｂの下端がフック２４Ａの作用端２４５の傾斜面に当接する。更に、前扉１２を筐体１１側に押すと、フック２４Ａは引張コイルばね２３の力に抗して矢印Ｒの方向に回転する。係止片１１Ａ・１１Ｂが凹溝２４１に入ると、フック２４Ａは矢印Ｙ方向に回転復帰し、前扉１２は施錠状態となる。
【００３８】
次に、第１のロック機構２０の下方に配置される第２のロック機構３０の構成を図３により説明する。図３の符号３１は電磁ソレノイド、符号３２はロッド、符号３３は圧縮コイルばね、符号３４はブラケットである。
【００３９】
図３において、電磁ソレノイド３１はブラケット３４に取り付けられる。ブラケット３４は前扉１２の背面に固定されている。ロッド３２の軸部には鍔部３２Ａが形成されている。鍔部３２Ａと電磁ソレノイド３１の吸引面間には、圧縮コイルばね３３が巻装されている。圧縮コイルばね３３はロッド３２を電磁ソレノイド３１から離れる方向に力を付勢している。また、ブラケット３４の折曲げ片３４１は穴３４２が形成され、穴３４２はロッド３２を進退自在に案内する。
【００４０】
図３の電磁ソレノイド３１が励磁されると、ロッド３２は圧縮コイルばね３３の力に抗して、電磁ソレノイド３１に吸引される。電磁ソレノイド３１が消磁されると、ロッド３２は圧縮コイルばね３３の力で突出する。ロッド３２が所定量移動すると、鍔部３２Ａが折曲げ片３４１に当接して停止状態となる。
【００４１】
すなわち、電磁ソレノイド３１が消磁されると、ロッド３２が係止片１１Ｃの貫通穴１１１に入り、前扉１２をロックする。反対に、電磁ソレノイド３１が励磁されると、ロッド３２と係止片１１Ｃの係合状態が解消され、前扉１２を開くことができる。
【００４２】
次に、第１の実施の形態による制御部の構成を図４のブロック図と図５の配置図により説明する。図４の１４Ｅは電磁遮蔽板、符号１５Ａと符号１５Ｂは検出器、符号１６Ａと符号１６Ｂは検出回路、符号１７はＣＰＵ、符号１８Ａは照合部、符号１８Ｂは記憶部、符号１８Ｃは駆動回路である。
【００４３】
図５は、図４におけるシリンダ錠１４と検出器１５Ａ・１５Ｂとの配置を示している。図５に示されるように、第１のロック機構２０が施錠状態であり、鍵体４０を鍵穴１４Ａに挿入したとき、鍵体４０の固有情報を受信できるように検出器１５Ａは配置されている。図５の状態から、鍵体４０を矢印Ｒ方向に回転すると、すなわち、第１のロック機構２０が解錠状態であり、鍵体４０の固有情報を受信できるように検出器１５Ｂは配置されている。鍵体４０を矢印Ｌ方向に復帰させると、図４の状態に戻る。
【００４４】
図４において、鍵体４０は、固有の周波数を発振する発振回路と、発振回路で作られた信号を増幅する増幅回路が組み込まれている。これらの電源回路としては小型のボタン電池を鍵体４０に内蔵させる。そして、送信アンテナとなる発信器４Ａから固有の周波数をもつ電波が発信され、シークレット符号として解析される搬送波が合成波として常時発信される。なお、電磁遮蔽板１４Ｅは前記電波信号以外の外乱を防ぐ形で配置されている。
【００４５】
図４において、検出器１５Ａ・１５Ｂと検出回路１６Ａ・１６Ｂは前扉１２の背面に実装配置されている。ＣＰＵ１７と照合部１８Ａと記憶部１８Ｂと駆動回路１８Ｃは筐体１１内部の制御盤に実装配置されている。検出回路１６Ａ・１６ＢとＣＰＵ１７間、および電磁ソレノイド３１と駆動回路１８Ｃ間はそれぞれケーブルで接続されている。また、検出器１５Ａと検出器１５Ｂ、および検出回路１６Ａと検出回路１６Ｂはそれぞれ、構成と動作が同じであるので、検出器１５Ａと検出回路１６Ａを代表して以下を説明する。
【００４６】
受信アンテナとなる検出器１５Ａで受信された電波信号は検出回路１６Ａで増幅後、同調・検波された前記電波信号の搬送波はシークレット符号として符号化されＣＰＵ１７に送出される。いわゆる、検出器１５Ａと検出回路１６Ａは受信機である。
【００４７】
また、特定周波数の搬送波に変調された固有情報をパルス列として赤外線を鍵体４０から発振し、検出回路１６Ａに受信アンプ、ＡＧＣ回路、バンドパス・フィルタ、復調器など赤外線データ受信に必要な全ての回路を組み込み、検出器１６Ａの受信信号をシークレット信号として符号化し、ＣＰＵ１７に送出することもできる。この場合、発信器１５Ａは発光ダイオードとなり、受信器はフォト・トランジスタとなる。いわゆる、赤外線リモコンである。
【００４８】
記憶部１８ＢはＲＯＭであり、鍵体４０と同じシークレット符号が格納されている。認証用固有情報となるシークレット符号は、記憶部１８Ｂに保有されている。ＣＰＵ１７は記憶部１８Ｂのシークレット符号の読み出しを命令し、ＲＡＭ（ｒａｎｄｏｍ　ａｃｃｅｓｓ　ｍｅｍｏｒｙ）である照合部１８Ａにシークレット符号を記憶させる。検出回路１６Ａ・１６Ｂのいずれかのシークレット符号はＣＰＵ１７に送出され、照合部１８Ａのシークレット符号と照合される。なお、照合部１８Ａと記憶部１８ＢとＣＰＵ１７は照合手段を構成する。
【００４９】
ＣＰＵ１７は、照合結果が一致した場合、一致信号を駆動回路１８Ｃに送出する。駆動回路１８Ｃは、前記一致信号を受信すると、電磁ソレノイド３１を励磁する制御信号を送出する。すなわち、前記一致信号が駆動回路１８Ｃで受信されると、ロッド３２が吸引され、吸引状態を保持する。このようにして、第２のロック機構３０は解錠状態となる。
【００５０】
一方、前記一致信号が駆動回路１８Ｃに再度送信された場合は、前述のロッド３２の吸引状態を解除すべく電磁ソレノイド３１は消磁されロッド３２は復帰して、第２のロック機構３０は施錠状態を維持する。
【００５１】
次に、第１の実施の形態による鍵体４０について説明する。図６は鍵体４０の外観図である。図６の符号４１は挿入部、符号４２は握り部である。
【００５２】
挿入部４１は鍵穴に挿入される部位であり、前述の発信器４Ａが内蔵配置される。挿入部４１の先端には窓４３が設けられる。窓４３には、発信器４Ａの発信電波を妨げないが、塵芥の進入を防止する透過体が配置される。
【００５３】
挿入部４１の下部には、鍵体４０固有の鋸歯部４４が形成される。図６の挿入部４１の挿入方向に対する直交断面形状は概逆凸字状であるが、挿入部に縦溝を形成させる等して、前記直交断面形状を固有形状にしてもよい。
【００５４】
次に、第１の実施の形態による動作を図７と図８により説明する。図７は図１と図２で示された第１のロック機構２０の解錠手順を示す図である。図７のステップＳ１００では、前扉１２が閉じられた状態で、操作者により鍵体４０が鍵穴１４Ａに挿入される。鍵体４０の挿入部４１の断面形状が一致していれば、外形複製キーでも挿入はできる。もちろん、挿入できなければ、正しい鍵ではない。ステップＳ１１０では、鍵体４０を回転変位する。シリンダ錠の特性として、鍵の鋸歯部の山と谷の形状が一致していなければ、鍵を回転できない。ステップＳ１１０で第２の形状が照合される。
【００５５】
鍵体４０が回転できると、図２に示す如くシリンダ錠１４の同軸上のカム１４Ｄも回転する（ステップＳ１２０）。次に、カム１４Ｄに連結するリンク２２が上昇する（ステップＳ１３０）。次に、リンク２２と連結するフック２４Ａが回転すると、凹溝２４１と係止片１１Ａ・１１Ｂとの係合状態が解消される（ステップＳ１４０）。このようにして第１のロック機構２０が解除状態となる。なお、第１のロック機構２０による施錠はオートロック式であるので、前扉１２を閉じると、第１のロック機構２０は施錠状態となる。
【００５６】
次に、第２のロック機構３０の解錠動作を図８により説明する。なお、図４の検出器１５Ａ・１５Ｂの配置は図５に示されたとおりとする。すなわち、検出器１５Ａは鍵穴１４Ａが第１のロック機構２０の施錠状態であり、検出器１５Ｂは鍵穴１４Ａが第１のロック機構２０の解錠状態である。
【００５７】
鍵体４０を鍵穴１４Ａに挿入すると、検出動作が開始される（ステップＳ２００）。送信信号が検出器１５Ａで受信され、シークレット符号が検出回路１６ＡからＣＰＵ１７に送出される。ＣＰＵ１７は、検出回路１６Ａから送信される信号は第２のロック機構３０の施錠信号であることを予め記憶している。すなわち、鍵体４０を鍵穴１４Ａに挿入すると、第２のロック機構３０の施錠動作を開始する。なお、第２のロック機構３０の施錠動作は後述する。
【００５８】
鍵体４０を回転操作すると、回転変位位置での検出動作が開始される。送信信号が検出器１５Ｂで受信され、シークレット符号が検出回路１６ＢからＣＰＵ１７に送出される。ＣＰＵ１７は、検出回路１６Ｂから送信される信号は第２のロック機構３０の解錠信号であることを予め記憶している。すなわち、鍵体４０を回転操作すると、第２のロック機構３０の解錠動作を開始する。そして、照合動作が開始される（ステップＳ２１０）。ステップＳ２１０では、照合部１８Ａのシークレット符号が読み出され、送出されたシークレット符号の一致不一致が照合される。
【００５９】
次に、照合結果に基づき、後の処理が分かれる（ステップＳ２２０）。照合結果が一致した場合、ＣＰＵ１７は一致信号を駆動回路１８Ｃに送出する。駆動回路１８Ｃは、前記一致信号を受信すると、電磁ソレノイド３１を励磁する制御信号を送出する。すなわち、前記一致信号が駆動回路１８Ｃで受信されると、ロッド３２が吸引され、吸引状態を保持する。このようにして、第２のロック機構３０は解錠状態となる。図７に示された第１のロック機構２０の解錠処理と図８に示された第２のロック機構３０の解錠処理が終了して二重ロックの状態が解除される。
【００６０】
前述のステップＳ２２０で、照合結果が一致しない場合、ＣＰＵ１７は、一致信号を駆動回路１８Ｃに送出しない。したがって、第２のロック機構３０は施錠状態を保持し、前扉１２を開けることはできない。なお、図示されてはいないが、照合結果が一致しない場合は警報信号を発生させ、警報音を発生させるか、ランプで表示するなどしてもよい。
【００６１】
次に、第２のロック機構３０の施錠動作を説明する。前扉１２が開いた状態で、第２のロック機構３０のロッド３２が突出している場合は、鍵体１２を回転し、第２のロック機構３０を解錠状態にする。そして、前扉１２を閉じる。
【００６２】
次に、鍵体４０を施錠状態に復帰すると、検出動作が開始される。送信信号が検出器１５Ａで受信され、シークレット符号が検出回路１６ＡからＣＰＵ１７に送出される。ＣＰＵ１７は検出回路１６Ａから送信される信号は第２のロック機構３０の施錠信号であることを記憶されている。すなわち、鍵体４０を鍵穴１４Ａに挿入すると、第２のロック機構３０の施錠動作を開始する送信信号が検出器１５Ａで受信され、シークレット符号が検出回路１６ＡからＣＰＵ１７に送出される。そして、照合動作が開始される。照合部１８Ａのシークレット符号が読み出され、送出されたシークレット符号の一致不一致が照合される。
【００６３】
次に、照合結果に基づき、続く処理が分かれる。照合結果が一致した場合、ＣＰＵ１７は一致信号を駆動回路１８Ｃに送出する。駆動回路１８Ｃは、前記一致信号を受信すると、電磁ソレノイド３１を消磁する制御信号を送出する。すなわち、前記一致信号が駆動回路１８Ｃで受信されると、ロッド３２は突出状態に復帰する。このようにして、第２のロック機構３０は施錠状態となる。照合が不一致の場合は施錠しない。
【００６４】
［第２の実施の形態］
次に、本発明による第２の実施の形態を図９により説明する。図９は鍵体５０の外観図である。図９の符号５Ａは切換手段となる押しボタンスイッチ、符号５１は挿入部、符号５２は握り部である。
【００６５】
挿入部５１は鍵穴に挿入される部位であり、前述の発信器４Ａが内蔵配置される。挿入部５１の先端には窓５３が設けられる。窓４３には、発信器４Ａの発信電波を妨げないがが、塵芥の進入を防止する透過体が配置される。
【００６６】
挿入部５１の下部には、鍵体５０固有の鋸歯部５４が形成される。図９の挿入部５１の挿入方向に対する直交断面形状は概逆凸字状であるが、挿入部に縦溝を形成させる等して、前記直交断面形状を固有形状にしてもよい。
【００６７】
図９に示されるように、押しボタンスイッチ５Ａは握り部５２の上面に配置される。押しボタンスイッチ５Ａは発信器４Ａの発信の有無を切り換えるためのものである。
【００６８】
押しボタンスイッチ５Ａの頭部を押下すると、前記頭部は握り部５２に埋設してロック状態を保持し、押しボタンスイッチ５Ａがオンとなり、発信器４Ａは電波信号を発信する。前記頭部が握り部５２を埋設した状態から、更に前記頭部を押下するとロックが解除され、前記頭部が突出した状態に復帰する。前記頭部が突出した状態は押しボタンスイッチ５Ａがオフとなり、発信器４Ａは電波信号を発信しない。
【００６９】
押しボタンスイッチ５Ａをオンの状態にしておけば、鍵体５０による動作は第１の実施の形態と重複するので、割愛する。もちろん、解錠時に押しボタンスイッチ５Ａをオンにしてもよい。
【００７０】
このように、第２の実施の形態による鍵体５０は施解錠するときのみ、押しボタンスイッチ５Ａをオンにしておけばよく、鍵体５０内の例えば、電池の寿命を延ばすことができる。
【００７１】
［第３の実施の形態］
次に、本発明による第３の実施の形態を図１０から図１２により説明する。第３の実施の形態による制御部の構成を図１０のブロック図により説明する。図１０の符号１５Ｃは検出器、符号１６Ｃは検出回路、符号６０は鍵体、符号６Ａはスイッチ、符号６３は発信器であり、その他の符号は図４とおなじものである。
【００７２】
図１０において、検出器１５Ｃは送信コイルを有し、検出回路１６Ｃから送信され続けている特定の周波数により、前記送信コイルの回りには常に磁界が発生している。一方、検出器１５Ｃに発信器６３を近づけると、発信器６３は電磁誘導により電力を発生し、内部回路によりパルスを発生し、前記パルスを検出器１５Ｃは送信コイルを受信コイルとして受信する。すなわち、検出器１５Ｃはアンテナ／リーダーの機能を有している。
【００７３】
検出回路１６Ｃは、検出器１５Ｃに特定の周波数を送信し続ける一方、検出器１５Ｃが受信した前記パルスをＣＰＵ１７に送出する。
【００７４】
図１０において、記憶部１８ＢはＲＯＭであり、鍵体６０と同じシークレット符号が格納されている。ＣＰＵ１７は記憶部１８Ｂのシークレット符号読み出しを命令し、ＲＡＭ（ｒａｎｄｏｍ　ａｃｃｅｓｓ　ｍｅｍｏｒｙ）である照合部１８Ａにシークレット符号を記憶させる。解錠信号のシークレット符号はＣＰＵ１７に送出され、照合部１８Ａのシークレット符号と照合される。なお、照合部１８Ａと記憶部１８ＢとＣＰＵ１７は照合手段を構成する。
【００７５】
図１０において、検出器１５Ｃと検出回路１６Ｃは前扉１２の背面に実装配置されている。ＣＰＵ１７と照合部１８Ａと記憶部１８Ｂと駆動回路１８Ｃは筐体１１内部の制御盤に実装配置されている。また、鍵体６０が鍵穴１４Ａに挿入された状態で、鍵体６０の挿入端面に検出器１５Ｃの対向面が近接する形で、検出器１５Ｃは配置される。
【００７６】
次に、鍵体６０の内部回路と周辺回路の構成を図１１により説明する。図１１の符号６５はＩＤチップ、符号６５Ａは受信コイル、符号６５Ｂはダイオード、符号６５Ｃはコンデンサ、符号６５Ｄはスイッチ、符号６５Ｅは暗号発生回路である。
【００７７】
図１１において、検出器１５Ｃで発生する磁界を受信コイル６５Ａが受けると、受信コイル６５Ａに電流が流れる。前記電流はダイオード６５Ｂで整流され、コンデンサ６５Ｃに蓄電される。コンデンサ６５Ｃの電圧が一定電圧に達すると、暗号発生回路６５Ｅが作動する。そして、暗号発生回路６５Ｅ内のＲＯＭに記憶された固有情報によりスイッチ６５Ｂが動作する。スイッチのオン・オフ動作により電流が変動し、発生したパルスは受信コイル６５Ａから電磁誘導作用で検出器１５Ｃにも自らパルスを発生させる。
【００７８】
図１１に示されるように、暗号発生回路６５Ｅはスイッチ６Ａと接続している。スイッチ６Ａは、暗号発生回路６５Ｅ内のＲＯＭに記憶された固有情報の内、固有情報を含む解錠情報か施錠情報かを切り換える。より具体的には、固有情報となるシークレット符号にヘッダ符号を付加し、ヘッダ符号の違いで解錠情報と施錠情報を区別する。あるいは、シークレット符号を解錠情報とし、シークレット符号とは異なる符合を施錠情報としても良い。
【００７９】
いずれにしても、施錠情報か解錠情報のいずれかがスイッチ６Ａで切り換え、それぞれが異なるパルス列として鍵体６０から発信される。
【００８０】
図１２は鍵体６０の外観図である。図１２の符号６Ａは第二の切替部となるシーソー型のスイッチ、符号６１は挿入部、符号６２は握り部、符号６３は発信器、符号６４は鋸歯部である。なお、図１２の挿入部６１と鋸歯部６４に関し、鍵体４０・５０と重複する作用は、以下の説明では省略する。
【００８１】
図１２では、発信器６３は握り部６２の先端に配置される。スイッチ６Ａは握り部６２の上面に配置される。発信器６３から発信される施錠情報か解錠情報のいずれかをスイッチ６Ａは切り換える。また、鍵体６０を回転変位させる場合は、握り部６２を挟持すれば、回転容易となる。
【００８２】
次に、第３の実施の形態による動作を、図１０を援用して説明する。以下の説明では、また、施錠情報を「施錠信号」と称し、解錠情報を含む固有情報を「解錠信号」と略称して、以下に説明する。
【００８３】
また、第１の実施の形態では検出器が二つあったのに対し、第３の実施形態では検出器が一つである。図５に示されるように、検出器１５Ａ・１５Ｂのどちら側に、検出器１５Ｃを配置するのかで施解錠の手順が異なる。第１のロック機構２０が施錠状態の鍵穴１４Ａ位置に検出器１５Ｃを配置しているとして、第２のロック機構３０の解錠動作を以下に説明する。
【００８４】
前扉１２が閉じられた状態で、鍵体６０を鍵穴１４Ａに挿入すると、検出動作が開始される。なお、スイッチ６Ａは解錠側のオン状態になっているものとする。解錠信号が検出器１５Ｃで受信され、解錠信号は検出回路１６ＣからＣＰＵ１７に送出される。
【００８５】
ＣＰＵ１７は検出回路１６Ｃから送信される信号は施錠信号であるか解錠信号か判断する。つまり、施錠信号でなければ、解錠信号と判断する。解錠信号と判断されると、第２のロック機構３０の解錠動作を開始する。そして、照合動作が開始される。照合部１８Ａのシークレット符号が読み出され、送出されたシークレット符号の一致不一致が照合される。
【００８６】
次に、照合結果に基づき、後の処理が分かれる。照合結果が一致した場合、ＣＰＵ１７は一致信号を駆動回路１８Ｃに送出する。駆動回路１８Ｃは、前記一致信号を受信すると、電磁ソレノイド３１を励磁する制御信号を送出する。すなわち、前記一致信号が駆動回路１８Ｃで受信されると、ロッド３２が吸引され、吸引状態を保持する。このようにして、第２のロック機構３０は解錠状態となる。図７に示された第１のロック機構２０の解錠処理と図８に示された第２のロック機構３０の解錠処理が終了して二重ロックの状態が解除される。
【００８７】
第１と第２の実施の形態においては、第１のロック機構２０と第２のロック機構３０は同時解錠であった。しかし、第３の実施の形態においては、電子符号による解錠後に機械的に解錠することが可能となった。
【００８８】
次に、第２のロック機構３０の施錠動作を説明する。前扉１２が開いた状態で、第２のロック機構３０のロッド３２が突出している場合は、鍵体６０のスイッチ６Ａを解錠側にオンにして、第２のロック機構３０を解錠状態にする。そして前扉１２を閉じる。
【００８９】
次に、鍵体６０のスイッチ６Ａを施錠状態にオンにすると、施錠信号が検出器１５Ｃで受信され、前記施錠信号が検出回路１６ＣからＣＰＵ１７に送出される。次に、ＣＰＵ１７が施錠信号と判断されると、第２のロック機構３０の施錠動作を開始する。そして、照合動作が開始される。照合部１８Ａのシークレット符号が読み出され、送出されたシークレット符号の一致不一致が照合される。次に、照合結果に基づき、続く処理が分かれる。照合結果が一致した場合、ＣＰＵ１７は一致信号を駆動回路１８Ｃに送出する。駆動回路１８Ｃは、前記一致信号を受信すると、電磁ソレノイド３１を消磁する制御信号を送出する。すなわち、前記一致信号が駆動回路１８Ｃで受信されると、ロッド３２は突出状態に復帰する。このようにして、第２のロック機構３０は施錠状態となる。照合が不一致の場合は施錠しない。
【００９０】
第１と第２の実施の形態においては、第１のロック機構２０と第２のロック機構３０は同時施錠であった。しかし、第３の実施の形態においては、機械的に施錠後に、鍵体６０のスイッチ６Ａの切り換えで電子符号による施錠あるいは解錠が可能となった。
【００９１】
第１のロック機構２０が解錠状態の鍵穴１４Ａ位置に検出器１５Ｃを配置している場合は、前述と同様に動作するが、第１のロック機構２０が解錠状態のとき、すなわち、鍵体６０が変位した状態でスイッチ６Ａの切り換えることで、第２のロック機構３０を解錠あるいは施錠する。
【００９２】
なお、第３の実施の形態では発信手段・受信手段として電磁誘導を利用しているが、第１の実施の形態で説明された電波あるいは赤外線を発信手段・受信手段として第３の実施の形態を実現することもできる。
【００９３】
いずれの発信手段・受信手段を利用する場合にあっても、シークレット符号で照合した後、施解錠しているものの鍵穴からの外乱による誤動作もなお懸念される。したがって、第３の実施の形態では、鍵穴１４Ａを鍵体６０が遮蔽した状態（変位位置）で、電子情報を受信して施解錠するほうが、よりセキュリティが高い。すなわち、鍵体６０が変位した状態でスイッチ６Ａの切り換えることで、第２のロック機構３０の解錠あるいは施錠すれば、鍵体６０が受信面を外乱から遮蔽するのでよりセキュリティが高くなる。
【００９４】
また、鍵体６０を鍵穴１４Ａに挿入して第２のロック機構３０の解錠あるいは施錠場合にあっても、制御部にタイマーを設け、鍵体６０の変位途中から照合を開始するようにすれば、鍵体６０が受信面を外乱から遮蔽してから照合するので、セキュリティが高くなる。
【００９５】
さらに、本発明の実施の形態においては、鍵体の変位操作による第１のロック機構２０と電子情報による第２のロック機構３０で、それぞれ前扉１２を施解錠している。しかし、第１のロック機構３０の施解錠動作を保持あるいは解放する第３のロック機構を設け、第３のロック機構を電子情報で動作させることも可能である。例えば、電磁ソレノイドのロッドの突出あるいは復帰で、図２におけるリンク２２の上下動作を保持あるいは解放する第３のロック機構を考え、電磁ソレノイドのロッドの突出あるいは復帰を電子情報で操作する。このようにすれば、第１のロック機構と第３のロック機構が合成されて一つのロック機構ですむことになり、ロック機構がよりコンパクトになる。このようにすれば、従来技術に示されたような、集中制御システムも不要になり、個々の機械について、セキュリティが保証されるとともに個別の施錠・解錠の自由度も得られる。
【００９６】
また、鍵体の変位操作として、シリンダ錠による回転変位を実施の形態では提示したが、スライド錠による鍵体の移動変位操作によっても本発明の技術的思想を妨げるものではない。
【００９７】
本発明では、様々な実施の形態によるロックシステムを提供できる。本発明は、扉、ドア、蓋、ケースなどのロックシステムに適用できる。また、例えば、遊技店では、遊技機の機種毎にこのロックシステムを適用してもよいし、遊技機個々にこのロックシステムを適用してもよい。
【００９８】
【発明の効果】
本発明によれば、「凹部が設けられた本体と、当該本体における前記凹部を覆う装着体と、当該装着体を前記本体に対して施錠及び／又は解錠させるロック機構と、を有するロック装置と、前記ロック装置における前記ロック機構に設けられた鍵穴に挿脱可能であり、かつ、当該鍵穴に挿入した状態で変位操作を可能とした鍵体と、を備えたロックシステムであって、前記鍵体は、固有情報を発信する発信手段を有し、かつ、前記ロック装置は、前記鍵体が前記鍵穴に挿入された状態で、当該鍵体における前記発信手段により発信された固有情報を受信可能な固有情報受信手段と、当該固有情報受信手段により受信された固有情報を予め保有された認証用固有情報と照合する照合手段と、を有し、前記ロック機構は、前記鍵体が前記鍵穴に挿入された状態で、前記変位操作の実施と、前記照合手段により照合結果と、に基づいて、前記装着体を前記本体に対して施錠及び／又は解錠させる機能を有する」ので、機械的手段によるロックと非機械的手段によるロックの二重手段による強力なロックシステムを提供できる。例えば、スロットマシンなどの遊技機は装着体となる扉を開けたときに、本体内部に高価なメダルが多く蓄えられているので、防犯上、容易に解錠できないようにする必要がある。また、本体内部には遊技のプログラムを記憶したＲＯＭが実装されているので、遊技店の責任者以外には容易に解錠できず、不正手段を行使できないロックシステムが要望されている。このロックシステムはこれらの要望に適合する。また、本発明の鍵体は固有情報を発信する発信手段を有しているので、鍵体の外形は容易に複製できても、鍵体のシークレット符号となる電子情報の複製は相当困難であり、鍵体の紛失や盗難に際し、複製防止に好適である。
【図面の簡単な説明】
【図１】本発明における第１の実施の形態よるロックシステムをもつパチンコ機の構成図である。
【図２】本発明における第１のロック機構の構成図である。
【図３】本発明における第２のロック機構の構成図である。
【図４】本発明における第１の実施の形態による制御部のブロック構成図である。
【図５】図４におけるシリンダ錠１４と検出器１５Ａ・１５Ｂとの配置図である。
【図６】本発明における鍵体４０の外観図である。
【図７】本発明における第１のロック機構２０の解錠手順を示す図である。
【図８】本発明における第１の実施の形態による第２のロック機構３０の解錠動作を示す図である。
【図９】本発明における第２の実施の形態による鍵体５０の外観図である。
【図１０】本発明における第３の実施の形態による制御部のブロック構成図である。
【図１１】本発明における鍵体６０の内部回路と周辺回路の構成図である。
【図１２】本発明における第３の実施の形態による鍵体６０の外観図である。
【符号の説明】
４Ａ　発信器
５Ａ　押しボタンスイッチ
６Ａ　スイッチ
１０　パチンコ機
１１　筐体
１１Ａ　係止片
１１Ｂ　係止片
１１Ｃ　係止片
１２　前扉
１３　ガラス枠
１４　シリンダ錠
１４Ａ　鍵穴
１４Ｂ　回転軸
１４Ｃ　作用片
１４Ｄ　カム
１４Ｅ　電磁遮蔽板
１５Ａ　検出器
１５Ｂ　検出器
１５Ｃ　検出器
１６Ａ　検出回路
１６Ｂ　検出回路
１６Ｃ　検出回路
１７　ＣＰＵ
１８Ａ　照合部
１８Ｂ　記憶部
１８Ｃ　駆動回路
２０　第１のロック機構
２１　折曲げブラケット
２２　リンク
２３　引張コイルばね
２４Ａ　フック
２４Ｂ　軸
２４Ｃ　軸
３０　第２のロック機構
３１　電磁ソレノイド
３２　ロッド
３３　圧縮コイルばね
４０　鍵体
５０　鍵体
６０　鍵体
６３　発信器
【図１】
2004124401.tif 000003
【図２】
2004124401.tif 000004
【図３】
2004124401.tif 000005
【図４】
2004124401.tif 000006
【図５】
2004124401.tif 000007
【図６】
2004124401.tif 000008
【図７】
2004124401.tif 000009
【図８】
2004124401.tif 000010
【図９】
2004124401.tif 000011
【図１０】
2004124401.tif 000012
【図１１】
2004124401.tif 000013
【図１２】
2004124401.tif 000014